(57)【要約】【課題】均し作業等において作業者に熟練を要せず、塗料やパテをへら部材の両端部から溢れさせることなく綺麗に作業を行うことを可能とする。【解決手段】柔軟性を有する扁平な適宜形状のへら部材と、該へら部材の基端へ延設させた柔軟性を有する把持部材から成り、該へら部材の基端側には幅方向に亘りへら部材の湾曲状態を保形させる芯材を内設させる。芯材は、へら部材の表面に設けた溝に対して着脱自在であり、棒状の金属部材、板状の金属部材で構成する。【選択図】図４
0003123903.tif 000002
【実用新案登録請求の範囲】
【請求項１】
柔軟性を有する扁平な適宜形状の幅を有するへら部材と、該へら部材の基端部へ延設させた把持部材から成り、該へら部材の基端部側には幅方向に亘りへら部材の湾曲状態を保形させる芯材を内設させたことを特徴とするへら。
【請求項２】
前記芯材は、へら部材の表面に設けた溝に対して着脱自在であることを特徴とする請求項１に記載のへら。
【請求項３】
前記芯材が棒状の金属部材であることを特徴とする請求項１及び請求項２に記載のへら。
【請求項４】
前記芯材が板状の金属部材であることを特徴とする請求項１及び請求項２に記載のへら。
【考案の詳細な説明】
【技術分野】
【０００１】  本考案は、粘土細工や、接着剤、パテ等の混練に使用するへらに関するものであり、詳細には、様々な形態に変形できると共に使用時に保形、つまり形状記憶効果を生じさせて使用性を向上させたへらに関するものである。
【背景技術】
【０００２】  従来より、接着剤やパテ等の塗布作業に使用する道具として、各種のへらが使用されている。従来のこの種のへらとしては、例えば、実開平０６−０６４７７５号のように、木製等の硬質の握り部と、鋼板等の柔軟性を有するへら部材とから構成されたものがあり、このへら部分は、弾性変形可能に形成されており、塗布面を平滑に仕上げる際に、適度にしなるようになっている。また、全体が合成樹脂でできたものにおいては、基端部に硬質の把持部材を持ち、同様に先端部に柔軟性のある扁平なへら部材を持って構成されている。（特許文献１参照）【０００３】  そして、この際、先端部に柔軟性を有していることが均し作業を円滑に行わせる重要な要因となっている。
【特許文献１】  実開平０６−０６４７７５
【０００４】  また、この主のへらにおいては、様々な作業性を考慮して構成する部材の形状等を改良したものが知られている。先の例においては、把持部を握り具合に応じて変形されているが、この他、実開平０１−０６９６８４号では、へらの面部を湾曲させて、付着物に対するメンテナンス性を考慮したへら等が知られている。（特許文献２参照）
【特許文献２】  実開平０１−０６９６８４
【考案が解決しようとする課題】
【０００５】  ところが、上記の方法によって形成されたへらは、何れも、変形はするものの、へら部材の先端縁が直線状になっていることから、塗布作業を行う際に、へらの先端縁の直線状態は維持されたままであり、塗布面積に対する塗料やパテの量との兼ね合いで、両端部から塗料やパテなどが溢れてしまい、液溜まりができてしまう等の問題があった。
【課題を解決するための手段】
【０００６】  本考案は、このような従来のへらに関する問題点を解決するためになされたものであり、先ず、柔軟性を有する扁平な適宜形状のへら部材と、該へら部材の基端部へ延設させた把持部材から成り、該へら部材の基端部側には幅方向に亘りへら部材の湾曲状態を保形させる芯材を内設させたものである。
【０００７】  上記の如く構成されたへらは、芯材の形状、とりわけ予め湾曲させた形状によりへらを塗布方向に対して略Ｕ字状に湾曲されることができるため、塗料やパテなどが両端から溢れることを防止することが可能である。
【０００８】  また、本考案に係わる上記の芯材は、へら部材の表面に設けた溝に対して着脱自在に構成させている。このように構成することで、使用者の用途に併せてへらの湾曲率を適宜に変更することが可能である。尚、前記芯材は、本考案の実施例において、通常の塗布作業では簡単に変形しない、棒状の金属部材や板状の金属部材で構成している。
【実施例】
【０００９】  以下、本考案の実施例を図面に基づいて説明する。【００１０】  図１は、本考案の第１実施例のへらの正面図であり、図２は、本考案の第１実施例のへらの側面図であり、図３は本考案に係わるへらの湾曲状態を示す説明図であり、図４は、本考案の第１実施例のへらに使用する芯材の説明図であり、図５は本考案の第１実施例のへらの使用状態の説明図であり、図６は、本考案の第２実施例のへらの側面図である。【００１１】  本考案のへら１は、前述の如く、接着剤、パテ等の粘性のある混練に使用したり、学童達が粘土細工に使用するあらゆるへらに対して実施することが可能であって、第１実施例に示したへら１は、図１乃至図６に図示の如く、プラスチック等の弾性変形が可能な硬質の部材で形成した扁平で且つ逆台形状の幅を有するへら部材２と、該へら部材２に対して取り付けたやや硬質の基端部２ａへ一体に延設させた同材質の把持部材３とで構成されている。【００１２】  前記へら部材２は、略台形状になっていて先端縁を作業対象に押し付けて使用する。このため、へら部材２と、他の部材の材質を異ならせても構わないが、適度な質感を維持するために、全体を同質の材料とし、各部の厚みなどで硬さを調整して製造しても構わない。本考案の実施例においては、芯材を取り付ける部分の保形性を鑑みてへら部材２はより柔軟であり、へら部材２を支持する基端部２ａをそれよりもやや硬質の部材としている。【００１３】  そして、このへら部材２の把持部材３を延設させる基端部２ａには、幅方向に亘って上端部を欠いた略○字状の溝５が形成されていて、この溝５にへら部材２、より詳細には、基端部２ａを一定の形状に保形可能な円柱の金属製の芯材４が内設されている。【００１４】  図２に図示の如く、前記溝５は、金属製の芯材４が円柱の棒状体である場合には、芯材４を圧入可能な幅で上端部を開口させた断面が略○字状の溝である。これに対して、芯材４は図４（ａ）（ｂ）に図示の如く、直線状の円柱の金属部材を事前に所定の形状で湾曲させたものを使用し、これを所定の湾曲方向となるように前記溝５へ圧入してセットをする。【００１５】  尚、本考案の第２実施例においては、図６に図示の如く、前記芯材４は長矩形の板状体で形成されたものを用いている。また、図示していないが、単に一箇所で折り曲げるだけでなく、複数箇所で折り曲げたり、芯材を複数用いることで、保形性を安定したり、より複雑なへらの形状の変形を行うことも可能である。【００１６】  本考案のへら１を用いて所定の塗布面に接着剤やパテ等の塗布、均し作業を行うには、先ず、把持部材３を片手でグリップしながら、へら部材２の先端縁２１で所定の方向に引きながら軽く塗布する。この際、へら１は図４に図示の通り、予め湾曲して変形されているので、両端部から塗料やパテなどが漏れる心配がなく、熟練を要せずとも綺麗な仕上げを行うことが可能である。【００１７】  また、本考案では、実施例の様な外観形状のへらを用いたが、へらの外観形状の設計変更は、必要に応じて自由であることは言うまでもない。
【考案の効果】
【００１８】  本考案のへらは、柔軟性を有する扁平な適宜形状の幅を有するへら部材と、該へら部材の基端へ延設させた把持部材から成り、へら部材の基端側には幅方向に亘りへら部材の湾曲状態を保形させる芯材を内設させて構成したので、塗布作業の際に、へら部材の先端の形状が湾曲して保形されているために、均し作業等において作業者に熟練を要せず、塗料やパテを溢れさせることなく綺麗に作業を行うことが可能である。また、本考案のへらの形状に係わる芯材はへら部材に対して着脱が自在であることから、金属製の芯材を取り外し、工作機械や、場合によっては手など強い力で湾曲させて形状を改め、再度、芯材を取り付けてへらの形を調節できる等の応用性が広く、また、製造工程も簡易であり、低コストを実現させた画期的な考案である。
【図面の簡単な説明】
【００１９】
【図１】本考案の第１実施例のへらの正面図である。
【図２】本考案の第１実施例のへらの側面図である。
【図３】本考案に係わるへらの湾曲状態を示す説明図である。
【図４】本考案の第１実施例のへらに使用する芯材の説明図である。
【図５】本考案の第１実施例のへらの使用状態の説明図である。
【図６】本考案の第２実施例のへらの側面図である。
【符号の説明】
【００２０】１    へら
２    へら部材
２ａ  基端部
２１  先端縁
３    把持部材
４    芯材
５    溝
【図１】
0003123903.tif 000003
【図２】
0003123903.tif 000004
【図３】
0003123903.tif 000005
【図４】
0003123903.tif 000006
【図５】
0003123903.tif 000007
【図６】
0003123903.tif 000008
【手続補正書】
【提出日】平成18年4月26日(2006.4.26)
【手続補正１】
【補正対象書類名】実用新案登録請求の範囲
【補正対象項目名】請求項３
【補正方法】変更
【補正の内容】
【請求項３】
前記芯材が棒状の金属部材であることを特徴とする請求項１または請求項２に記載のへら。
【手続補正２】
【補正対象書類名】実用新案登録請求の範囲
【補正対象項目名】請求項４
【補正方法】変更
【補正の内容】
【請求項４】
前記芯材が板状の金属部材であることを特徴とする請求項１または請求項２に記載のへら。